(57)【要約】【課題】抱き上げたときに本物の動物のように感じさせて、動物を慈しむ気持ちを育てることができるぬいぐるみ玩具を提供する。【解決手段】座ったウサギの形状を模した布製の本体部２に、綿やスポンジ等の弾性伸縮可能な詰物部材３を詰め込み、本体部２を構成する体部５の内部に、多数の樹脂ペレット８が袋９に収容された錘部材６を挿入し、体部５の内部に、音を検出すると記憶された音声を出力する音声出力装置７を挿入する。錘部材６には、折り曲げられたり樹脂ペレット８が擦れたりすることで音が発せられるシート１０を取り付ける。【選択図】図２
2014094027.tif 000002
【特許請求の範囲】
【請求項１】
弾性伸縮性を有する詰物部材が詰め込まれる頭部及び体部を備えた動物型のぬいぐるみ玩具であって、
内部に、樹脂ペレットを袋に収容した錘部材が挿入されていることを特徴とするぬいぐるみ玩具。
【請求項２】
内部に、音を検出すると記憶された音声を出力する音声出力装置が挿入されていることを特徴とする請求項１に記載のぬいぐるみ玩具。
【請求項３】
前記音声出力装置の少なくとも一部は、前記錘部材に覆われていることを特徴とする請求項２に記載のぬいぐるみ玩具。
【請求項４】
前記錘部材にシートが取り付けられていることを特徴とする請求項１〜３の何れか一項に記載のぬいぐるみ玩具。
【発明の詳細な説明】
【技術分野】
【０００１】
本発明は、頭部と体部とを備えたぬいぐるみ玩具に関する。
【背景技術】
【０００２】
幼児の玩具として、動物の外観を模した本体部に綿などの弾性伸縮性を有する詰物部材が詰め込まれたぬいぐるみ玩具がある。このようなぬいぐるみ玩具には、幼児の興味を引くために、手足を動かす装置や、音声を発生させる装置などを組み込んだものも考えられている（例えば、特許文献１，２参照）。
【先行技術文献】
【特許文献】
【０００３】
【特許文献１】特開平０８−２０６３６７号公報
【特許文献２】実開平０５−０８２４９０号公報
【発明の概要】
【発明が解決しようとする課題】
【０００４】
しかしながら、このようなぬいぐるみ玩具は、ぬいぐるみ玩具が模している動物と比べて重量がかなり軽いため、幼児は、ぬいぐるみ玩具を本物の動物としては認識しない。その結果、幼児は、ぬいぐるみ玩具を乱雑に扱うようになる傾向が高い。
【０００５】
そこで、本発明は、抱き上げたときに本物の動物のように感じさせて、動物を慈しむ気持ちを育てることができるぬいぐるみ玩具を提供することを目的とする。
【課題を解決するための手段】
【０００６】
本発明に係るぬいぐるみ玩具は、弾性伸縮性を有する詰物部材が詰め込まれる頭部及び体部を備えた動物型のぬいぐるみ玩具であって、内部に、樹脂ペレットを袋に収容した錘部材が挿入されていることを特徴とする。
【０００７】
本発明に係るぬいぐるみ玩具によれば、内部に錘部材が挿入されているため、本物の動物の重量バランスに近づけることができる。例えば、頭部側の重量に対する体部側の重量の割合が２．０以上３．０以下となるように内部に挿入する錘部材のバランスを設定することで、ウサギ、モルモット、犬などの小動物の重量バランスに近づけることができる。これにより、抱き上げたときに本物の動物のように感じさせることができるため、幼児は、ぬいぐるみ玩具を大切に扱い、動物を慈しむ気持ちが育まれる。しかも、錘部材は、樹脂ペレットを袋に収容したものであるため、ぬいぐるみ玩具の重量バランスを適切に調節することができるとともに、樹脂ペレットが袋内で移動することでぬいぐるみ玩具の柔らかさを保持することができる。
【０００８】
また、内部に、音を検出すると記憶された音声を出力する音声出力装置が挿入されていることが好ましい。
【０００９】
このように内部に音声出力装置が挿入されていると、幼児がぬいぐるみ玩具に話し掛けたりぬいぐるみ玩具を触ったりすることで、音声出力装置から音声が出力されるため、幼児にぬいぐるみ玩具に対する興味を持たせることができるとともに、ぬいぐるみ玩具を用いた遊びに長時間集中させることができる。特に、ぬいぐるみ玩具を握ったり叩いたりすると、錘部材からは、樹脂ペレット同士の擦れる音が発せられるため、音声出力装置の近傍で音を発生させることができる。これにより、音声出力装置の音検出感度を低く抑えて、周囲の関係ない音に反応して音声出力装置から音声が出力されるのを防止することができるため、幼児のぬいぐるみ玩具に対する興味をより強く持たせることができる。更に、音声出力装置を内部に挿入することで、動物の外観が損なわれるのを防止することができるとともに、音声出力装置が幼児に直接当たるのを防止することができる。
【００１０】
この場合、音声出力装置の少なくとも一部は、錘部材に覆われていることが好ましい。
【００１１】
これにより、ぬいぐるみ玩具を握ったり叩いたりして樹脂ペレット同士の擦れる音が発せられた際に、音声出力装置のより近傍で音を発生させることができる。
【００１２】
また、錘部材にシートが取り付けられていることが好ましい。
【００１３】
このように錘部材にシートが取り付けられていると、ぬいぐるみ玩具を握ったり叩いたりすることで、シートに樹脂ペレットが擦れる音や、シートが折れ曲がる音が発せられるため、音声出力装置の近傍でより大きい音を発生させることができる。このため、力の弱い幼児であっても、ぬいぐるみ玩具を握ったり叩いたりすることにより音声出力装置から音声を出力させることができる。
【発明の効果】
【００１４】
本発明によれば、抱き上げたときに本物の動物のように感じさせて、動物を慈しむ気持ちを育てることができる。
【図面の簡単な説明】
【００１５】
【図１】実施形態に係るぬいぐるみ玩具の側面図である。
【図２】図１に示すぬいぐるみ玩具の断面図である。
【図３】音声出力装置の機能構成を示すブロック図である。
【発明を実施するための形態】
【００１６】
以下、図面を参照して、本発明に係るぬいぐるみ玩具の好適な実施形態について詳細に説明する。なお、全図中、同一又は相当部分には同一符号を付すこととする。
【００１７】
図１は、実施形態に係るぬいぐるみ玩具の側面図であり、図２は、図１に示すぬいぐるみ玩具の断面図である。
【００１８】
図１及び図２に示すように、本実施形態に係るぬいぐるみ玩具１は、幼児用のぬいぐるみ玩具であり、座ったウサギの形状を模した布製の本体部２に、綿やスポンジ等の弾性伸縮性を有する詰物部材３が詰め込まれたものである。なお、このぬいぐるみ玩具１は、ウサギの鼻先側が前側となり、ウサギの尻尾側が後側となる。
【００１９】
本体部２は、ウサギの頭を模した頭部４とウサギの体を模した体部５とを備えている。頭部４には、ウサギの目、鼻、口、耳及び前足を模した布が縫い付けられており、体部５には、ウサギの後足及び尻尾を模した布が縫い付けられている。なお、前足には、頭部４及び体部５と同様に詰物部材３が詰め込まれている。そして、幼児の膝に乗せた際にウサギの顔が幼児の顔を向くように、ぬいぐるみ玩具１の顔が斜め上方に向けられている。顔の向きは、頭部４に取り付けられた目の向きにより表され、顔が斜め上方に向けられる角度αは、例えば３０〜６０°となっている。
【００２０】
また、本体部２は、ウサギの前後方向において、頭部４の後端を境界αとして前側に配置される部分が頭側部分Ａとなっており、頭部４の後端を境界αとして後側に配置される部分が体側部分Ｂとなっている。なお、頭側部分Ａには、頭部４の全部と体部５の一部が含まれており、体側部分Ｂには、体部５の残りの部分が含まれている。
【００２１】
体部５の内部には、多数の樹脂ペレット８を袋９に収容した錘部材６と、音声出力装置７と、が詰物部材３の隙間に挿入されている。
【００２２】
樹脂ペレット８は、樹脂製の粒状体である。樹脂ペレット８の形状は、特に限定されるものではないが、角の無い形状が好ましく、例えば球状や楕円球状等のビーズ状に形成することができる。樹脂ペレット８の大きさは、特に限定されるものではないが、例えば、樹脂ペレット８の直径を１ｍｍ以上６ｍｍ以下とすることができる。樹脂ペレット８の直径をこれらの範囲とすることで、袋９内での樹脂ペレット８の流動性が向上する。
【００２３】
袋９は、錘部材６の外形を形成するものであり、錘部材６があらゆる形状に変形できるように柔らかい素材で構成されている。
【００２４】
そして、錘部材６は、袋９内で樹脂ペレット８が自由に動き回ることが可能となっており、袋９に収容する樹脂ペレット８の量（数）により重さを設定することが可能となっている。
【００２５】
このように構成される錘部材６は、体部５内の頭側部分Ａから体側部分Ｂに亘って配置されている。なお、体部５に挿入された錘部材６が頭部４に入り込まないように、頭部４と体部５との間には仕切部材１２が設けられている。そして、頭側部分Ａの重量に対する体側部分Ｂの重量の割合が２．０以上３．０以下、つまり、ぬいぐるみ玩具１全体の重量に対する体側部分Ｂの重量の割合が６．６以上７．５以下となるように、頭側部分Ａにおける錘部材６の重量と体側部分Ｂにおける錘部材６の重量とが設定されている。例えば、ぬいぐるみ玩具１の総重量を４００ｇとする場合、頭側部分Ａの重量が１２０ｇ、体側部分Ｂの重量が２８０ｇとなるように、頭側部分Ａにおける錘部材６の重量と体側部分Ｂにおける錘部材６の重量とを設定することができる。なお、頭側部分Ａにおける錘部材６の重量と体側部分Ｂにおける錘部材６の重量との設定は、例えば、袋９の形状を最適化したり、詰物部材３の詰め込み位置や詰め込み量を調整したりすることで行うことができる。
【００２６】
錘部材６には、音を発生させるためのシート１０が取り付けられている。シート１０は、折り曲げられたり樹脂ペレット８が擦れたりすることで音が発せられるコシのあるシートである。シート１０の素材や形状などは特に限定されるものではないが、例えば、樹脂シート、グラシン紙、パラフィン紙などを用いることができる。なお、樹脂シートの素材としては、例えば、ＰＥＴ等が挙げられる。錘部材６に対するシート１０の取り付けは、特に限定されるものではないが、例えば、袋９の内側又は外側にシート１０を縫製又は接着したり、樹脂ペレット８と同様に袋９にシート１０を収容したりすることにより行うことができる。なお、袋９の内側又は外側にシート１０を縫製又は接着する場合は、必ずしもシート１０と袋９とが密着している必要はなく、シート１０と袋９との間に樹脂ペレット８が介挿されていてもよい。
【００２７】
音声出力装置７は、音を検出すると記憶された音声を出力するものである。
【００２８】
図３は、音声出力装置の機能構成を示すブロック図である。図３に示すように、音声出力装置７は、音を検出する感音センサ７１と、出力する音声が記憶されているメモリ７２と、メモリ７２に記憶されている音声が出力されるスピーカー７３と、音声出力装置７を統括制御する制御部７４と、を備えている。制御部７４は、感音センサ７１で閾値以上の音を検出すると、メモリ７２に記憶されている音声をスピーカー７３から出力するものである。メモリ７２に記憶させる音声は、１種類であっても複数種類であってもよい。例えば、メモリ７２にウサギの鳴き声を複数種類記憶させておき、感音センサ７１で閾値以上の音を検出する度に、ウサギの鳴き声を順次スピーカー７３から出力させることもできる。
【００２９】
図２に示すように、体部５には、面ファスナーなどの開閉部材が取り付けられた開口部１３が形成されるとともに、開口部１３から体部５の内部に挿入されて音声出力装置７を収納する収納袋１４が取り付けられている。そして、音声出力装置７は、この開口部１３から収納袋１４に挿入されて、体部５の内部において、その一部又は全部が錘部材６及びシート１０に覆われるように配置されている。
【００３０】
ここで、ぬいぐるみ玩具１を握ったり叩いたりすると、ぬいぐるみ玩具１の本体部２内に挿入されている錘部材６が変形し、錘部材６及びシート１０から、樹脂ペレット８同士が擦れる音や、シート１０に樹脂ペレット８が擦れる音や、シート１０が折れ曲がる音が発せられる。すると、音声出力装置７の一部又は全部が錘部材６及びシート１０に覆われているため、錘部材６及びシート１０から発せられたこれらの音が殆ど減衰することなく感音センサ７１に伝達される。このため、幼児等がぬいぐるみ玩具１に話し掛けた場合だけでなく、ぬいぐるみ玩具１を握ったり叩いたりした場合にも、音声出力装置７から音声が出力される。
【００３１】
このように、本発明に係るぬいぐるみ玩具１によれば、頭側部分Ａ及び体側部分Ｂに配置される体部５に錘部材６が挿入されているため、本物の動物の重量バランスに近づけることができる。例えば、頭側部分Ａの重量に対する体側部分Ｂの重量の割合が２．０以上３．０以下となるように頭側部分Ａにおける錘部材６の重量と体側部分Ｂにおける錘部材６の重量とを設定することで、ウサギ、モルモット、犬などの小動物の重量バランスに近づけることができる。これにより、抱き上げたときに本物の動物のように感じさせることができるため、幼児は、ぬいぐるみ玩具１を大切に扱い、動物を慈しむ気持ちが育まれる。
【００３２】
しかも、錘部材６は、樹脂ペレット８を袋９に収容したものであるため、ぬいぐるみ玩具１の重量バランスを適切に調節することができるとともに、樹脂ペレット８が袋９内で移動することでぬいぐるみ玩具１の柔らかさを保持することができる。
【００３３】
また、体部５に音声出力装置７が挿入されていると、幼児がぬいぐるみ玩具１に話し掛けたりぬいぐるみ玩具１を触ったりすることで、音声出力装置７から音声が出力されるため、幼児にぬいぐるみ玩具１に対する興味を持たせることができるとともに、ぬいぐるみ玩具１を用いた遊びに長時間集中させることができる。特に、ぬいぐるみ玩具１を握ったり叩いたりすると、錘部材６からは、樹脂ペレット８同士の擦れる音が発せられるため、音声出力装置７の近傍で音を発生させることができる。これにより、音声出力装置７の音検出感度を低く抑えて、周囲の関係ない音に反応して音声出力装置７から音声が出力されるのを防止することができるため、幼児のぬいぐるみ玩具１に対する興味をより強く持たせることができる。更に、音声出力装置７を体部５に挿入することで、動物の外観が損なわれるのを防止することができるとともに、音声出力装置７が幼児に直接当たるのを防止することができる。
【００３４】
しかも、音声出力装置７の一部が錘部材６に覆われているため、ぬいぐるみ玩具１を握ったり叩いたりして樹脂ペレット８同士の擦れる音が発せられた際に、音声出力装置７のより近傍で音を発生させることができる。
【００３５】
また、錘部材６にシート１０が取り付けられていると、ぬいぐるみ玩具１を握ったり叩いたりすることで、シート１０からは、シート１０に樹脂ペレット８が擦れる音や、シート１０が折れ曲がる音が発せられるため、音声出力装置７の近傍でより大きい音を発生させることができる。このため、力の弱い幼児であっても、ぬいぐるみ玩具１を握ったり叩いたりすることにより音声出力装置７から音声を出力させることができる。
【００３６】
以上、本発明の好適な実施形態について説明したが、本発明は上記実施形態に限定されるものではない。
【００３７】
例えば、上記実施形態では、音声出力装置７が体部５にのみ挿入されるものとして説明したが、音声出力装置７は、頭部４にのみ挿入されてもよく、頭部４及び体部５の双方に挿入されてもよく、頭部４及び体部５の何れにも挿入されなくてもよい。
【００３８】
また、上記実施形態では、錘部材６にシート１０が取り付けられるものとして説明したが、シート１０は必ずしも設けなくてもよい。
【００３９】
また、上記実施形態では、座ったウサギの形状を模したぬいぐるみ玩具として説明したが、ウサギに限らず、モルモットや犬などの他の動物の形状を模した動物型のぬいぐるみ玩具であってもよい。
【符号の説明】
【００４０】
１…ぬいぐるみ玩具、２…本体部、３…詰物部材、４…頭部、５…体部、６…錘部材、７…音声出力装置、７１…感音センサ、７２…メモリ、７３…スピーカー、７４…制御部、８…樹脂ペレット、９…袋、１０…シート、１３…開口部、１４…収納袋、Ａ…頭側部分、Ｂ…体側部分。
【図１】
2014094027.tif 000003
【図２】
2014094027.tif 000004
【図３】
2014094027.tif 000005